(57)【要約】【課題】  ｘＤＳＬ回線上に発生するエラーを検出し、動的に変化するエラー発生頻度に応じたビット割付を行うことにより、最適な回線速度を設定するとともに、リセット等を行うことなく、その回線速度の設定の有効化を可能とする。【解決手段】  局側のｘＤＳＬモデム装置と端末側のｘＤＳＬモデム装置とによる回線速度変更システムであって、少なくとも一方のｘＤＳＬモデム装置は、ｘＤＳＬ回線上における回線エラーの発生を検出する手段と、検出された回線エラーの単位時間当たりの発生回数を算出する手段と、エラー発生頻度に応じてｘＤＳＬ回線へのビット割付値を設定する手段と、設定されたｘＤＳＬ回線へのビット割付値を対向するｘＤＳＬモデム装置に通知する手段とを備え、少なくとも他方のｘＤＳＬモデム装置は、通知されたビット割付値に応じて、ｘＤＳＬ回線へのビット割付を行う手段を備えた構成としてある。【選択図】      図１
2007235764.tif 000002
【特許請求の範囲】
【請求項１】
ｘＤＳＬ回線の一端を交換局側にて終端する局側のｘＤＳＬモデム装置と、当該ｘＤＳＬ回線の他端を端末側にて終端する端末側のｘＤＳＬモデム装置とを備えたｘＤＳＬネットワークにおける回線速度変更システムであって、
前記局側又は端末側の少なくとも一方のｘＤＳＬモデム装置が、
前記ｘＤＳＬ回線上における回線エラーの発生を検出するエラー検出手段と、
前記エラー検出手段にて検出された回線エラーの単位時間当たりの発生回数を算出するエラー発生頻度算出手段と、
前記エラー発生頻度算出手段にて算出された回線エラーの発生頻度に応じて前記ｘＤＳＬ回線へのビット割付値を設定するビット割付変更手段と、
前記ビット割付変更手段により設定されたｘＤＳＬ回線へのビット割付値を対向するｘＤＳＬモデム装置に通知するビット割付通知手段と、を備え、
前記一方のｘＤＳＬモデム装置と異なる他方のｘＤＳＬモデム装置が、
前記一方のｘＤＳＬモデム装置から通知されたビット割付値に応じて、ｘＤＳＬ回線へのビット割付を行うビット割付実行手段を備える
ことを特徴とする回線速度変更システム。
【請求項２】
前記一方のｘＤＳＬモデム装置が、ＡＤＳＬ回線を端末側にて終端する端末側のＡＤＳＬモデム装置からなり、
前記他方のｘＤＳＬモデム装置が、ＡＤＳＬ回線を交換局側にて終端する局側のＡＤＳＬモデム装置からなる請求項１記載の回線速度変更システム。
【請求項３】
前記ビット割付変更手段は、
前記エラー発生頻度算出手段にて算出された回線エラーの発生頻度が、所定の閾値を超えている場合に、前記ｘＤＳＬ回線へのビット割付値を削減するよう設定を行う請求項１又は２記載の回線速度変更システム。
【請求項４】
前記ビット割付変更手段は、
前記エラー発生頻度算出手段にて算出された回線エラーの発生頻度が、所定の閾値未満である場合には、前記ｘＤＳＬ回線へのビット割付値を増加するよう設定を行う請求項１乃至３のいずれかに記載の回線速度変更システム。
【請求項５】
ｘＤＳＬ回線の一端を交換局側又は端末側にて終端するｘＤＳＬモデム装置であって、
前記ｘＤＳＬ回線上における回線エラーの発生を検出するエラー検出手段と、
前記エラー検出手段にて検出された回線エラーの単位時間当たりの発生回数を算出するエラー発生頻度算出手段と、
前記エラー発生頻度算出手段にて算出された回線エラーの発生頻度に応じて前記ｘＤＳＬ回線へのビット割付値を設定するビット割付変更手段と、
前記ビット割付変更手段により設定されたｘＤＳＬ回線へのビット割付値を対向する他のｘＤＳＬモデム装置に通知するビット割付通知手段と、を備え、
前記ビット割付通知手段から通知されたビット割付値に応じて、ｘＤＳＬ回線へのビット割付が行われることを特徴とするｘＤＳＬモデム装置。
【請求項６】
前記ｘＤＳＬモデム装置が、ＡＤＳＬ回線を端末側にて終端する端末側のＡＤＳＬモデム装置からなる請求項５記載のｘＤＳＬモデム装置。
【請求項７】
前記ビット割付変更手段は、
前記エラー発生頻度算出手段にて算出された回線エラーの発生頻度が、所定の閾値を超えている場合に、前記ｘＤＳＬ回線へのビット割付値を削減するよう設定を行う請求項５又は６記載のｘＤＳＬモデム装置。
【請求項８】
前記ビット割付変更手段は、
前記エラー発生頻度算出手段にて算出された回線エラーの発生頻度が、所定の閾値未満である場合には、前記ｘＤＳＬ回線へのビット割付値を増加するよう設定を行う請求項５乃至７のいずれかに記載のｘＤＳＬモデム装置。
【請求項９】
ｘＤＳＬ回線の一端を交換局側にて終端する局側のｘＤＳＬモデム装置と、当該ｘＤＳＬ回線の他端を端末側にて終端するｘＤＳＬモデム装置とを備えたｘＤＳＬネットワークにおける回線速度を動的に変更するための回線速度変更方法であって、
前記局側又は端末側の一方のｘＤＳＬモデム装置において、
前記ｘＤＳＬ回線上における回線エラーの発生を検出するとともに、
検出された回線エラーの単位時間当たりの発生回数を算出し、
算出された回線エラーの発生頻度に応じて前記ｘＤＳＬ回線へのビット割付値を設定し、
設定されたｘＤＳＬ回線へのビット割付値を対向する他方のｘＤＳＬモデム装置に通知し、
前記局側又は端末側の他方のｘＤＳＬモデム装置において、
前記一方のｘＤＳＬモデム装置から通知されたビット割付値に応じて、ｘＤＳＬ回線へのビット割付を行うことを特徴とする回線速度変更方法。
【請求項１０】
ｘＤＳＬ回線を交換局側にて終端された局側のｘＤＳＬモデム装置と、当該ｘＤＳＬ回線を端末側にて終端されたｘＤＳＬモデム装置とを備えたｘＤＳＬネットワークにおける回線速度変更システムにおいて、
前記局側又は端末側の一方のｘＤＳＬモデム装置を構成するコンピュータを、
前記ｘＤＳＬ回線上における回線エラーの発生を検出するエラー検出手段、
前記エラー検出手段にて検出された回線エラーの単位時間当たりの発生回数を算出するエラー発生頻度算出手段、
前記エラー発生頻度算出手段にて算出された回線エラーの発生頻度に応じて前記ｘＤＳＬ回線へのビット割付値を設定するビット割付変更手段、
前記ビット割付変更手段により設定されたｘＤＳＬ回線へのビット割付値を対向するｘＤＳＬモデム装置に通知するビット割付通知手段、
として機能させるとともに、
前記局側又は端末側の他方のｘＤＳＬモデム装置を構成するコンピュータを、
前記一方のｘＤＳＬモデム装置から通知されたビット割付値に応じて、ｘＤＳＬ回線へのビット割付を行うビット割付実行手段
として機能させることを特徴とする回線速度変更プログラム。
【発明の詳細な説明】
【技術分野】
【０００１】
本発明は、ＡＤＳＬに代表されるｘＤＳＬ（x Digital Subscriber Line）回線を介して相互に通信を行うｘＤＳＬモデム装置に関し、より詳しくは、動的に変化するｘＤＳＬ回線の状況に応じて最適な回線速度を確保するｘＤＳＬモデム装置に関する。
【背景技術】
【０００２】
一般的に、ＡＤＳＬ（Asymmetric  Digital  Subscriber  Line）に代表されるｘＤＳＬ回線におけるデータ通信方法は、４．３１２５ｋＨｚ毎に決められた搬送波（ｂｉｎ）にビットが割り付けられて通信を行うＤＭＴ（Discrete  Multitone）方式を採用している。ＤＭＴ方式では、通信開始前に所定の信号の送受信を行うことにより、回線の線路減衰量及びノイズを測定し、測定結果に基づいて各搬送波に割り付けるビット数を決定するトレーニングと呼ばれる方法がとられている。
【０００３】
しかし、トレーニングを行った際に確認されたノイズ以外の非定常のノイズが、ｘＤＳＬ回線の同期が確立した後に印加された場合、その非定常のノイズによってｘＤＳＬ回線上に回線エラーが発生する場合がある。この場合、発生した回線エラーによってデータ通信における再送制御が行われるため、回線のパフォーマンスは低下する。
一方、トレーニングを行った際に確認されたノイズが、ｘＤＳＬ回線の同期が確立した後に消滅した場合、回線速度を速くすることができるにも関わらず一定としているため、この場合も回線パフォーマンスは低下することとなる。
【０００４】
そこで、ＡＤＳＬ回線の接続前に、事後的に発生するノイズに対応できるよう所定の余裕度を持たせてビット割付を行い、予めビットレートを低く設定することによってエラー発生の抑制が可能なＡＤＳＬモデムが提案されている（例えば、特許文献１参照）。
【０００５】
また、ＡＤＳＬ回線の状態を調査し、サブキャリア単位での使用を制御することにより回線速度を調整する方法が提案されている（例えば、特許文献２参照）。
さらに、ｘＤＳＬ回線の実際の接続状況に応じてノイズマージンを変更することにより、通信の安定化を図るとともに、最適な回線速度を設定する方法が提案されている（例えば、特許文献３参照）。
【０００６】
【特許文献１】特開２００４−３４３１７２号公報
【特許文献２】特開２００４−０４８２１３号公報
【特許文献３】特開２００３−２７４０５３号公報
【発明の開示】
【発明が解決しようとする課題】
【０００７】
しかしながら、特許文献１に記載された装置においては、ノイズによる回線エラーの発生頻度を減少させ、安定化させることはできても、発生するノイズ量を余分に想定しビットレートを低く設定しているため、通信速度は遅くなる。特に、ＡＤＳＬ回線におけるエラーの発生は動的であり、回線エラーの発生頻度が少ない状況にある場合等、本来もつ回線容量を十分に活用できず極めて非効率である。
【０００８】
また、特許文献２に記載された方法においては、サブキャリア単位で回線状態の調査を行い、サブキャリア単位で使用の有無を判定し、さらにサブキャリア単位でビット割付の設定を行うため、係る処理数が膨大なものとなる。
特に、回線速度が高くなるほどサブキャリアの数は増え、相当の処理時間を要することとなるため、回線のパフォーマンスにも悪影響を及ぼすおそれがある。
現実には、この様な不具合を回避するために、処理機能の高いＣＰＵやメモリなどが必要となり、コストの増加につながることとなる。
【０００９】
さらに、特許文献３に記載された方法においては、変更したノイズマージン等の設定を有効にするため、リセット処理が必要となっている。
このため、設定変更のたびにサービスの中断が伴い、利用者にとっては極めて不便な方法となっている。
【００１０】
本発明は、以上のような従来の技術が有する問題を解決するために提案されたものであり、ｘＤＳＬ回線上に発生する回線エラーを検出し、動的に変化する回線エラーの発生頻度に応じたビット割付を行うことにより、常に最適な回線速度を設定するとともに、対向する装置との同期制御を行うことにより、装置のリセットや回線の切断を行うことなく、その回線速度の設定を有効化するｘＤＳＬモデム装置の提供を目的とする。
【課題を解決するための手段】
【００１１】
上記目的を達成するため、本発明の回線速度変更システムは、請求項１に記載するように、ｘＤＳＬ回線の一端を交換局側にて終端した局側のｘＤＳＬモデム装置と、当該ｘＤＳＬ回線の他端を端末側にて終端したｘＤＳＬモデム装置とを備えたｘＤＳＬネットワークにおける回線速度変更システムであって、前記局側又は端末側の少なくとも一方のｘＤＳＬモデム装置は、前記ｘＤＳＬ回線上における回線エラーの発生を検出するエラー検出手段と、前記エラー検出手段にて検出された回線エラーの単位時間当たりの発生回数を算出するエラー発生頻度算出手段と、前記エラー発生頻度算出手段にて算出された回線エラーの発生頻度に応じて前記ｘＤＳＬ回線へのビット割付値を設定するビット割付変更手段と、前記ビット割付変更手段により設定されたｘＤＳＬ回線へのビット割付値を対向するｘＤＳＬモデム装置に通知するビット割付通知手段とを備え、前記一方のｘＤＳＬモデム装置と異なる他方のｘＤＳＬモデム装置は、前記一方のｘＤＳＬモデム装置から通知されたビット割付値に応じて、ｘＤＳＬ回線へのビット割付を行うビット割付実行手段を備えた構成としてある。
【００１２】
特に、本発明の回線速度変更システムでは、請求項２に記載するように、前記一方のｘＤＳＬモデム装置が、ＡＤＳＬ回線を端末側にて終端する端末側のＡＤＳＬモデム装置からなり、前記他方のｘＤＳＬモデム装置が、ＡＤＳＬ回線を交換局側にて終端する局側のＡＤＳＬモデム装置からなる構成としてある。
【００１３】
そして、本発明の回線速度変更システムでは、請求項３に記載するように、前記ビット割付変更手段は、前記エラー発生頻度算出手段にて算出された回線エラーの発生頻度が、所定の閾値を超えている場合には、前記ｘＤＳＬ回線へのビット割付値を減じて設定する構成としてある。
さらに、請求項４に記載するように、前記ビット割付変更手段は、前記エラー発生頻度算出手段にて算出された回線エラーの発生頻度が、所定の閾値未満である場合には、前記ｘＤＳＬ回線へのビット割付値を増加して設定する構成としてある。
【００１４】
このような構成からなる本発明の回線速度変更システムによれば、ｘＤＳＬ回線において発生する回線エラーを検出するとともに、検出されたエラー結果に基づいて、動的に変化するエラー発生頻度に応じて最適なビット割付値を自動的に更新するようにしている。
具体的には、システムを構成するｘＤＳＬモデム装置は、ｘＤＳＬ回線の状態監視を行っており、回線エラーの発生頻度が多くなれば、ノイズが増加しているとみなして取り扱うデータ量（ビット割付値）を低く設定し、反対に、回線エラーの発生頻度が少なくなれば、ノイズが減少しているとみなして取り扱うデータ量（ビット割付値）を多く設定するようにしている。
したがって、ｘＤＳＬ回線の状況に応じた最適なスループットが得られ、また、エラー発生の少ない安定した通信が可能となっている。
【００１５】
また、本発明の回線速度変更システムによれば、上述のように設定されたデータ割付値を対向する他方のｘＤＳＬモデム装置に通知し、これに応じて他方のｘＤＳＬモデム装置がデータ割付を設定するようにしている。
このため、上述のようにデータ割付値の設定を変更する際には、互いの装置間では自動的に同期をとるようにしているため、リセットや回線切断を行うことなく、上記設定を有効化できるようになっている。
このように、エラー発生やサービス停止を伴うことなく、最適なネットワーク環境を自動的に設定できるため、利便性及び信頼性に優れた回線速度変更システムを実現し、提供することができる。
【００１６】
また、本発明のｘＤＳＬモデム装置は、請求項５に記載するように、ｘＤＳＬ回線の一端を交換局側又は端末側にて終端する局側のｘＤＳＬモデム装置であって、前記ｘＤＳＬ回線上における回線エラーの発生を検出するエラー検出手段と、前記エラー検出手段にて検出された回線エラーの単位時間当たりの発生回数を算出するエラー発生頻度算出手段と、前記エラー発生頻度算出手段にて算出された回線エラーの発生頻度に応じて前記ｘＤＳＬ回線へのビット割付値を設定するビット割付変更手段と、前記ビット割付変更手段により設定されたｘＤＳＬ回線へのビット割付値を対向する他方のｘＤＳＬモデム装置に通知するビット割付通知手段とを備え、前記ビット割付通知手段から通知されたビット割付値に応じて、ｘＤＳＬ回線へのビット割付が行われる構成としてある。
【００１７】
特に、本発明のｘＤＳＬモデム装置は、請求項６に記載するように、ＡＤＳＬ回線を端末側にて終端する端末側のＡＤＳＬモデム装置からなる構成としてある。
そして、請求項７に記載するように、前記ビット割付変更手段は、前記エラー発生頻度算出手段にて算出された回線エラーの発生頻度が、所定の閾値を超えている場合に、前記ｘＤＳＬ回線へのビット割付値を削減するよう設定を行う構成としてある。
また、請求項８に記載するように、前記ビット割付変更手段は、前記エラー発生頻度算出手段にて算出された回線エラーの発生頻度が、所定の閾値未満である場合には、前記ｘＤＳＬ回線へのビット割付値を増加するよう設定を行う構成としてある。
【００１８】
また、本発明の回線速度変更方法は、請求項９に記載するように、ｘＤＳＬ回線の一端を交換局側にて終端した局側のｘＤＳＬモデム装置と、当該ｘＤＳＬ回線の他端を端末側にて終端したｘＤＳＬモデム装置とを備えたｘＤＳＬネットワークにおける回線速度を動的に変更するための回線速度変更方法であって、前記局側又は端末側の一方のｘＤＳＬモデム装置において、前記ｘＤＳＬ回線上における回線エラーの発生を検出するとともに、検出された回線エラーの単位時間当たりの発生回数を算出し、算出された回線エラーの発生頻度に応じて前記ｘＤＳＬ回線へのビット割付値を設定し、設定されたｘＤＳＬ回線へのビット割付値を対向するｘＤＳＬモデム装置に通知し、前記局側又は端末側の他方のｘＤＳＬモデム装置において、前記一方のｘＤＳＬモデム装置から通知されたビット割付値に応じて、ｘＤＳＬ回線へのビット割付を行う方法としてある。
【００１９】
このように、本発明は、上述したシステム発明としてだけでなく、モデム装置発明や方法発明としても実現化することができる。
これによって、具体的なシステムの構成に限定されることなく、所定の構成を備えた装置、または、所定のステップを備えた方法によって本発明を実施することができるため、汎用性及び拡張性に優れた回線速度変更技術を提供することが可能となる。
【００２０】
さらに、本発明は、請求項１０に記載するように、ｘＤＳＬ回線を交換局側にて終端された局側のｘＤＳＬモデム装置と、当該ｘＤＳＬ回線を端末側にて終端されたｘＤＳＬモデム装置とを備えたｘＤＳＬネットワークにおける回線速度変更システムにおいて、前記局側又は端末側の一方のｘＤＳＬモデム装置を構成するコンピュータを、前記ｘＤＳＬ回線上における回線エラーの発生を検出するエラー検出手段、前記エラー検出手段にて検出された回線エラーの単位時間当たりの発生回数を算出するエラー発生頻度算出手段、前記エラー発生頻度算出手段にて算出された回線エラーの発生頻度に応じて前記ｘＤＳＬ回線へのビット割付値を設定するビット割付変更手段、前記ビット割付変更手段により設定されたｘＤＳＬ回線へのビット割付値を対向するｘＤＳＬモデム装置に通知するビット割付通知手段、として機能させるとともに、前記局側又は端末側の他方のｘＤＳＬモデム装置を構成するコンピュータを、前記一方のｘＤＳＬモデム装置から通知されたビット割付値に応じて、ｘＤＳＬ回線へのビット割付を行うビット割付実行手段、として機能させるためのプログラムとしてある。
【００２１】
このように本発明はプログラムとしても実現化することができる。
これにより、回線速度変更システムやｘＤＳＬモデム装置のみならず、他の伝送装置等にプログラムをインストールすることによって本発明を実現することが可能となり、汎用性，拡張性に優れた回線速度変更プログラムとして提供することができる。
【発明の効果】
【００２２】
本発明によれば、ｘＤＳＬ回線を監視し、回線状況に応じた最適なビット割付を行うことができ、ネットワークの高速化及び安定化が可能となる。
また、システムを構成するＡＤＳＬモデム装置は、同期をとるよう制御されることにより、装置のリセット（再起動）や回線の切断を行うことなく、ビット割付の変更を有効化することができる。
このように、本発明によれば、信頼性及び利便性に優れたｘＤＳＬ技術を実現でき、快適なネットワーク環境を提供することができる。
【発明を実施するための最良の形態】
【００２３】
以下、本発明の回線速度変更システム及びｘＤＳＬモデム装置の好ましい実施形態について図面を参照して説明する。
ここで、以下に示す本発明の回線速度変更システム及びｘＤＳＬモデム装置は、プログラム（ソフトウェア）の命令によりコンピュータで実行される処理，手段，機能によって実現される。プログラムは、コンピュータの各構成要素に指令を送り、以下に示すような所定の処理・機能を行わせる。すなわち、本実施形態の回線速度変更システム及びｘＤＳＬモデム装置における各処理・手段は、プログラムとコンピュータとが協働した具体的手段によって実現される。
なお、プログラムの全部又は一部は、例えば、磁気ディスク，光ディスク，半導体メモリ，その他任意のコンピュータで読取り可能な記録媒体により提供され、記録媒体から読み出されたプログラムがコンピュータにインストールされて実行される。また、プログラムは、記録媒体を介さず、通信回線を通じて直接にコンピュータにロードし実行することもできる。
【００２４】
図１は、本発明の一実施形態に係る回線速度変更システムの構成を示すブロック図である。
本実施形態の回線速度変更システム１は、ＡＤＳＬ回線を使用するためのシステムであって、ＡＤＳＬモデム装置（端末側ＡＤＳＬモデム装置）２、ＤＳＬＡＭ装置（局側ＡＤＳＬモデム装置）３、及び電話回線４によって構成され、音声通信では使用されない高周波帯にデータ信号を重畳する仕組みを通して、ＰＣ等からなる情報処理端末５がＡＤＳＬ回線を使用して、インターネットにアクセスし利用できるようになっている。
以下、本実施形態の主な構成について、各々詳細な説明を行う。
【００２５】
［ＡＤＳＬモデム装置］
ＡＤＳＬモデム装置２は、交換局に配置されたＤＳＬＡＭ装置３と電話回線によって接続されており、電話回線４（ＡＤＳＬ回線）を介して送られてくるＡＤＳＬ信号を所定のデータにプロトコル変換して、情報処理装置５に渡し、また、その逆を行うものである。
ＡＤＳＬモデム装置２は、下りｂｉｎ設定部２１、端末側ＡＤＳＬ処理部２２、端末側データ制御部２３及びＬＡＮインターフェース２４を備えている。
【００２６】
下りｂｉｎ設定部２１は、回線のエラー発生状況を監視し、回線状態に最適な回線速度を算出するものであり、エラー検出部２０１、タイマ部２０２、エラー換算部２０３及びビット割付算出部２０４によって構成されている。
具体的には、エラー検出部２０１（エラー検出手段）は、端末側ＡＤＳＬ処理部２２を介して回線状態の監視を行い、回線エラーが検出されるとエラー換算部２０３に通知する。
エラー換算部２０３（エラー発生頻度算出手段）は、エラー検出部２０１及びタイマ部２０２との連携によって、所定の単位時間において発生するエラーの回数（エラー発生頻度）を算出するものである。
なお、タイマ部２０２は、上述の通り、エラー換算部２０３でもとめるエラー発生頻度を算出するために必要な周期（単位時間）を測定するものである。
【００２７】
ビット割付算出部２０４（ビット割付変更手段）では、エラー換算部２０３で算出されたエラー発生頻度が、所定の閾値の範囲に入っていない場合に、端末側データ制御部２３に通知するとともに、変更すべきビット割付値を設定し、そのビット割付値を端末側ＡＤＳＬ処理部２２に通知するものである。
端末側ＡＤＳＬ処理部２２は、端末側データ制御部２３の指示にしたがって、ＤＳＬＡＭ装置との間で送受信するデータ信号の変復調や、同期確立を行うだけでなく、ＤＳＬＡＭ装置３に対し、変更すべきビット割付値を送信する（ビット割付通知手段）。
なお、端末側データ制御部２３は、各部に対し各種制御を行うほか、端末側ＡＤＳＬ処理部２２におけるデータとＬＡＮインターフェース２４におけるデータとの間にてプロトコル変換を行うものであり、ＬＡＮインターフェース２４は、情報処理装置５との間にてデータの送受信をおこなうものである。
【００２８】
［ＤＳＬＡＭ装置］
ＤＳＬＡＭ装置３は、端末側のＡＤＳＬモデム装置２と対向して配置されるモデム装置である。通常は交換局に集中的に配置され、図示しないインターネットに接続されることによって、多数の通信確立を可能としている。
本実施形態におけるＤＳＬＡＭ装置３は、局側ＡＤＳＬ処理部３２と局側データ制御部３３によって構成されている。
【００２９】
局側ＡＤＳＬ処理部３２は、ＡＤＳＬモデム装置２から所定のビット割付値を受信すると、局側データ制御部３３は、そのビット割付値によって回線設定を変更するよう局側ＡＤＳＬ処理部３２に指示を行う。
そして、局側ＡＤＳＬ処理部３２によってビット割付値の変更が行われることによって、ＤＳＬＡＭ装置３からＡＤＳＬモデム装置２へ送信されるデータ（下りデータ）の速度が変更されることとなる（ビット割付実行手段）。
【００３０】
次に、図１に示す回線速度変更システムの処理動作について図２を参照して説明する。図２は、図１に示す回線速度変更システムの処理を説明するフローチャートである。
同図に示すように、まず、ＤＳＬＡＭ装置３から電話回線４（ＡＤＳＬ回線）を介して送信されたＡＤＳＬデータが端末側ＡＤＳＬ処理部２２にて受信される（ステップＳ１）。
ＡＤＳＬデータが受信されると、端末側ＡＤＳＬ処理部２２にて受信されたＡＤＳＬデータにエラーが発生しているか否かが監視される（ステップＳ２）。
具体的には、エラー検出部２０１によりＣＲＣ演算処理が行われ、ＡＤＳＬ回線上のデータのＣＲＣエラーの検出を試みる方法等がとられる。
【００３１】
エラー検出部２０１によって回線エラーの発生が検出されない場合（ステップＳ２のＮＯ）は、回線速度を増加させるための設定を行う（ステップＳ３）。
具体的には、現在回線に設定されている値よりも多いビット割付値ｘをビット割付算出部２０４が設定し、端末側ＡＤＳＬ処理部２２に出力する。
そして、端末側ＡＤＳＬ処理部２２は、このビット割付値をＤＳＬＡＭ装置３に通知する（ステップ４）。
【００３２】
一方、エラー検出部２０１によって回線エラーの発生が検出された場合（ステップＳ２のＹＥＳ）は、そのエラー発生頻度が所定の閾値Ｘ未満かどうかを判定する（ステップＳ５）。
なお、閾値Ｘは、装置立ち上げ時に測定されたエラー発生頻度よりも小さい値とすることが望ましい。
【００３３】
この結果、エラー発生頻度が所定の閾値Ｘ未満であった場合（ステップＳ５のＹＥＳ）には、エラーが発生しなかった場合と同様、ビット割付値ｘを設定し、ＤＳＬＡＭ装置３に通知を行う（ステップＳ３〜Ｓ４）。
一方、エラー発生頻度が閾値Ｘ以上である場合（ステップＳ５のＮＯ）には、次に、閾値Ｙを超過していないかどうかを判定する（ステップＳ６）。
なお、閾値Ｙは、装置立ち上げ時に測定されたエラー発生頻度よりも大きい値とすることが望ましい。
【００３４】
ステップＳ６において、エラー発生頻度が、閾値Ｙを超過している場合（ステップＳ６のＹＥＳ）には、回線速度を減ずるための設定を行う（ステップＳ７）。具体的には、ビット割付算出部２０４が現在設定されている値よりも少ないビット割付値ｙを設定し、端末側ＡＤＳＬ処理部２２に出力する。
そして、端末側ＡＤＳＬ処理部２２は、このビット割付値ｙをＤＳＬＡＭ装置３に通知する（ステップ８）。
【００３５】
一方、エラー発生頻度が、閾値Ｙ以下の場合（ステップＳ６のＮＯ）には、回線エラー監視状態に戻る。
そして、ＤＳＬＡＭ装置３では、ＡＤＳＬモデム装置２から通知されたビット割付値にしたがって、回線設定を行うことにより、回線速度の変更が有効になる（ステップＳ９）。
【００３６】
図３は、図１に示す回線速度変更システムにて変更されたビット割付値のイメージを示す図である。
図３に示すように、ビット割付値の変更前において、各サブチャネル番号ごとに所定のビットが割り付けられている。
その後、エラー検出部２０１によって回線エラーが検出され、検出された回線エラーの頻度が予め設定された所定の閾値を超過していると判断されると、サブチャネル番号３２〜５１２（下り帯域）においてビット割付値を減少させる設定が行われる。
【００３７】
例えば、サブチャネル番号３３の搬送波（ｂｉｎ）においては、当初ビット割付値が「７」であったのに対し、変更後は「６」に減少させる等、各サブチャネルのビット割付値を一律に（又は個別に）減少させることにより、全体としての回線速度が下げられることとなる。
なお、本実施形態の回線速度変更システム１は、下りｂｉｎ設定部２１により、下り方向のデータ、すなわち、ＤＳＬＡＭ装置３からＡＤＳＬモデム装置２に対して送信されるデータに設定されるので、上り帯域（サブチャネル番号６〜３１）におけるビット割付値は変更されず、一定である。
【００３８】
以上説明したように、本実施形態の回線速度変更システム１によれば、ＡＤＳＬ回線の監視を行い、回線上に発生するエラーを検出するだけでなく、そのエラーの発生頻度を算出し、動的に変化するエラー発生頻度に応じたビット割付値を自動的に設定するようにしている。
このため、エラーがあまり発生しないときには回線速度を増加させ、また、エラーが頻繁に発生するときには回線速度を落とすというように、状況に応じた動的な制御を自動的に行うことができる。
これにより、常に、最適なスループットを実現しつつ、エラー発生に伴う回線断が少ない安定したネットワークを実現することができる。
【００３９】
しかも、ビット割付の変更時には、システムを構成する装置同士で同期をとるようにしているため、リセットや回線切断を行うことなく、ビット割付の変更を有効化できるようになっている。
このように、本発明の回線速度変更システム１によれば、時々刻々と変化する回線状況に対応して高速化及び安定化を図ることにより、信頼性及び利便性に優れたｘＤＳＬネットワークを実現し、快適なネットワーク環境を提供することが可能になる。
【００４０】
［第二実施形態］
次に、本発明の他の実施形態に係る回線速度変更システムについて図４〜図６を参照しつつ説明する。
図４及び図５は、本発明の他の実施形態に係る回線速度変更システムのブロック図である。
【００４１】
図４に示す回線速度変更システム１は、上りｂｉｎ設定部３１を有しており、下りｂｉｎ設定部２１を有していない点で、また、図５に示す回線速度変更システム１は、上りｂｉｎ設定部３１と下りｂｉｎ設定部２１の両方を有している点で、上述の実施形態とは異なる。
従って、これらの回線速度変更システム１は、上り方向のデータ、すなわち、ＡＤＳＬモデム装置２からＤＳＬＡＭ装置３に対して送信されるデータの速度を変更する手段を備えたものである。
なお、各システムの構成やその機能、ならびに処理手順については上述した第一実施形態と同様であるので、詳細な説明は省略する。
【００４２】
図６は、図４に示す回線速度変更システムにて変更されたビット割付値のイメージを示す図である。
図６に示すように、ビット割付値の変更前において、各サブチャネル番号ごとに一定のビット割付値が割り付けられている。
そして、エラー検出部２０１（図１参照）によって回線エラーが検出され、検出された回線エラーの頻度が予め設定された所定の閾値以下であると判断されると、サブチャネル番号６〜３１（上り帯域）のビット割付値を増加する設定が行われる。
【００４３】
具体的には、サブチャネル番号６〜３１の各搬送波においては、当初ビット割付値が「５」であったのに対し、変更後は「６」に増加されている。このように、各サブチャネルのビット割付値を増加させることにより、全体としての回線速度が上げられることとなる。
なお、ここで説明した回線速度変更システム１は、上りｂｉｎ設定部３１により、上り方向、すなわち、ＡＤＳＬモデム装置２からＤＳＬＡＭ装置３に対して送信されるデータに設定されるので、下り帯域（サブチャネル番号３２〜５１２）におけるビット割付値は変更されず、一定である。
【００４４】
以上説明したように、本実施形態の回線速度変更システム１によれば、上りｂｉｎ設定部３１を備えているので、前述の実施形態と同様の効果を、上り方向又は双方向に送信されるデータに発揮させることができるようになっている。
このため、下り方向のデータ通信速度が高いＡＤＳＬネットワークのみならず、ＨＤＳＬ（High-bit-rate Digital Subscriber Line）やＳＤＳＬ（Symmetric Digital Subscriber Line）などの双方向に高速化されたネットワークに活用することができる。
【００４５】
以上、本発明の回線速度変更システムについて、好ましい実施形態を示して説明したが、本発明にかかる回線速度変更システムは、上述した実施形態にのみ限定されるものではなく、本発明の範囲で種々の変更実施が可能であることは言うまでもない。
例えば、本発明のシステムはＡＤＳＬのみならず、ＨＤＳＬ、ＲＡＤＳＬ（Rate adaptive Asymmetric Digital Subscriber Line）、ＶＤＳＬ（Very high-bit-rate
Digital Subscriber Line）等、他のＤＳＬ装置やＤＳＬネットワークにおいて実現することが可能である。
また、本発明において速度変更の基準となる閾値は、段階的に多数設定することも可能で、これによって、よりきめの細かい速度調整を行うことができる。
【産業上の利用可能性】
【００４６】
本発明は、ＡＤＳＬモデム装置及びＡＤＳＬモデム装置からなるネットワークに好適に利用することができる。
【図面の簡単な説明】
【００４７】
【図１】本発明の一実施形態に係る回線速度変更システムの構成を示すブロック図である。
【図２】図１に示す回線速度変更システムの処理を説明するフローチャートである。
【図３】図１に示す回線速度変更システムにて変更されたビット割付値のイメージを示す図である。
【図４】本発明の他の実施形態に係る回線速度変更システム（上りｂｉｎ設定部有り）のブロック図である。
【図５】本発明の他の実施形態に係る回線速度変更システム（上りｂｉｎ設定部及び下りｂｉｎ設定部有り）のブロック図である。
【図６】図４に示す回線速度変更システムにて変更されたビット割付値のイメージを示す図である。
【符号の説明】
【００４８】
１  回線速度変更システム
２  ＡＤＳＬモデム装置（端末側ＡＤＳＬモデム装置）
２１  下りｂｉｎ設定部
３  ＤＳＬＡＭ装置（局側ＡＤＳＬモデム装置）
３１  上りｂｉｎ設定部
４  電話回線（ＡＤＳＬ回線）
５  情報処理端末
【図１】
2007235764.tif 000003
【図２】
2007235764.tif 000004
【図３】
2007235764.tif 000005
【図４】
2007235764.tif 000006
【図５】
2007235764.tif 000007
【図６】
2007235764.tif 000008